(57)【要約】  本発明は、第１温度レベルで大気と熱交換する第１大気熱交換器（１）と、第２温度レベルで大気と熱交換する第２大気熱交換器（２）と、高圧作動媒体を受け取る第１高圧タンク（１１）と、高圧作動媒体を受け取る第２高圧タンク（１２）と、一方の高圧タンク（１１、１２）からの作動媒体から機械的な作動を生成する作動機械（３１）と、工程の進行を制御する制御装置（４２）とからなるヒート・エンジンに関する。前第１高圧タンク（１１）が、前記大気熱交換器（１、２）から間隔を空けて設けられるとともに前記第１大気熱交換器（１）に接続可能な第１熱交換器（２１）を備える一方、前記第２高圧タンク（１２）が、前記大気熱交換器（１、２）から間隔を空けて設けられるとともに前記第２大気熱交換器（２）に接続可能な第２熱交換器（２１）を備えることにより、高い効率と大きな順応性を得ることができる。
2008501885.tif 000002
【特許請求の範囲】
【請求項１】
第１温度レベルで大気と熱交換する第１大気熱交換器（１）と、
第２温度レベルで大気と熱交換する第２大気熱交換器（２）と、
高圧の作動媒体を受け取る第１高圧タンク（１１）と、
高圧の作動媒体を受け取る第２高圧タンク（１２）と、
一方の高圧タンク（１１、１２）からの作動媒体の膨張から機械的な作動を得る作動機械（３１）と、
工程を制御する制御装置（４２）と、からなるヒート・エンジンであって、
前記第１高圧タンク（１１）が、前記大気熱交換器（１、２）から間隔を空けて設けられると共に、前記第１大気熱交換器（１）に接続可能な第１熱交換器（２１）を備え、
前記第２高圧タンク（１２）が、前記大気熱交換器（１、２）から間隔を空けて設けられると共に、前記第２大気熱交換器（２）に接続可能な第２熱交換器（２１）を備え、
前記作動機械（３１）に機械的に連結された圧縮器（３２）が設けられていることを特徴とするヒート・エンジン。
【請求項２】
前記作動機械（３１）が、タービンとして設けられていることを特徴とする請求項１に記載のヒート・エンジン。
【請求項３】
前記圧縮器（３２）が、高圧圧縮器として設けられていることを特徴とする請求項１又は２に記載のヒート・エンジン。
【請求項４】
前記第１大気熱交換器（１）が、閉鎖熱運搬サイクルにおいて、前記第１熱交換器（２１）及び前記第２熱交換器（２２）の何れか一方又は双方に接続されていることを特徴とする請求項１〜３の何れか一項に記載のヒート・エンジン。
【請求項５】
前記第２大気熱交換器（２）が、閉鎖熱運搬サイクルにおいて、前記第１熱交換器（２１）及び第２熱交換器（２２）の何れか一方又は双方に接続されていることを特徴とする請求項１〜４の何れか一項に記載のヒート・エンジン。
【請求項６】
前記作動機械（３１）がリバーシブルであることを特徴とする請求項１〜５の何れか一項に記載のヒート・エンジン。
【請求項７】
前記第１高圧タンク（１１）が、前記第１熱交換器（２１）に加えて第５熱交換器（２５）を有し、
前記第２高圧タンク（１２）が、前記第２熱交換器（２２）に加えて第６熱交換器（２６）を有していることを特徴とする請求項１〜６の何れか一項に記載のヒート・エンジン。
【請求項８】
前記第１大気熱交換器（１）が、前記第５及び第６熱交換器（２５、２６）に選択的に接続可能であり、
前記第２大気熱交換器（２）が、前記第１及び第２熱交換器（２１、２２）に選択的に接続可能であることを特徴とする請求項７に記載のヒート・エンジン。
【請求項９】
前記第５及び第６熱交換器（２５、２６）を備えた前記第１大気熱交換器（１）が一つの閉鎖熱運搬サイクルに設けられると共に、
前記第１及び第２熱交換器（２１、２２）を備えた前記第２大気熱交換器（２）が別の閉鎖熱運搬サイクルに設けられていることを特徴とする請求項８に記載のヒート・エンジン。
【請求項１０】
前記第１大気熱交換器（１）又は前記第２大気熱交換器（２）が、太陽熱収集器として設けられていることを特徴とする請求項１〜９の何れか一項に記載のヒート・エンジン。
【請求項１１】
前記第１大気熱交換器（１）又は前記第２大気熱交換器（２）が、地対空交換器として設けられていることを特徴とする請求項１〜１０の何れか一項に記載のヒート・エンジン。
【請求項１２】
前記第１大気熱交換器（１）又は前記第２大気熱交換器（２）が、室内又は設備の加熱及び冷却の一方又は双方を行うための熱交換器として設けられていることを特徴とする請求項１〜１１の何れか一項に記載のヒート・エンジン。
【請求項１３】
前記作動機械（３１）に選択的に接続可能な第３高圧タンク（１３）及び第４高圧タンク（１４）がさらに設けられていることを特徴とする請求項１〜１２の何れか一項に記載のヒート・エンジン。
【請求項１４】
前記第３及び第４高圧タンク（１３、１４）の一方又は双方が大気に対して絶縁されていることを特徴とする請求項１３に記載のヒート・エンジン。
【請求項１５】
前記第３高圧タンク（１３）が第３熱交換器（２３）を有し、
前記第４高圧タンク（１４）が第４熱交換器（２４）を有していることを特徴とする請求項１３又は１４に記載のヒート・エンジン。
【請求項１６】
前記第３熱交換器（２３）及び前記第４熱交換器（２４）が前記圧縮器（３２）に選択的に接続可能であることを特徴とする請求項１５に記載のヒート・エンジン。
【請求項１７】
前記第３熱交換器（２３）及び前記第４熱交換器（２４）が別の作動機械（３３）に選択的に接続可能であることを特徴とする請求項１５又は１６に記載のヒート・エンジン。
【請求項１８】
前記第３高圧タンク（１３）が前記第３熱交換器（２３）に加えて第７熱交換器（２７）を有し、
前記第４高圧タンク（１４）が前記第４熱交換器（２４）に加えて第８熱交換器（２８）を有していることを特徴とする請求項１３〜１７の何れか一項に記載のヒート・エンジン。
【請求項１９】
前記第７熱交換器（２７）及び前記第８熱交換器（２８）が、高圧熱運搬サイクルにおいて、前記圧縮器（３２）及び前記作動機械（３１、３３）に接続可能であることを特徴とする請求項１８に記載のヒート・エンジン。
【請求項２０】
高圧バッファ保存装置（４１）がさらに設けられていることを特徴とする請求項１〜１９の何れか一項に記載のヒート・エンジン。
【請求項２１】
第１温度レベルで、第１大気熱交換器（１）により熱が大気から吸収され、
高圧タンク（１１、１２）に存在する作動媒体に高圧で運搬されると共に、
第２大気熱交換器（２）が第２温度レベルで熱と大気を交換し、
高圧下の前記作動媒体が作動機械（３１）内で膨張して、
熱エネルギーを機械的な作動に変換する方法であって、
第１高圧タンク（１１）が前記大気熱交換器（１）及び前記第２大気熱交換器（２）に、交互に熱接続されるようになっており、
圧縮器（３２）が、作動媒体又は別の作動媒体を圧縮する作動機械（３１）によって駆動される、ことを特徴とする方法。
【請求項２２】
第２高圧タンク（１２）が前記第１大気熱交換器（１）及び前記第２大気熱交換器（２）に、交互に熱接続されることにより、前記第１高圧タンク（１１）が一方の大気熱交換器（１、２）と熱接続されると共に、前記第２高圧タンク（１２）が他方の大気熱交換器（２、１）と熱接続されるようになっていることを特徴とする請求項２１に記載の方法。
【請求項２３】
前記第１高圧タンク（１１）の作動媒体が第１熱交換器（２１）を介して加熱及び冷却されることにより、前記第１熱交換器（２１）が前記第１大気熱交換器（１）及び前記第２大気熱交換器（２）と交互に接続されるようになっていることを特徴とする請求項２１又は２２に記載の方法。
【請求項２４】
前記作動媒体が第１熱交換器（２１）を介して前記第１高圧タンク（１１）内で加熱及び冷却されることにより、前記第１熱交換器（２１）が前記第１大気熱交換器（１）及び前記第２大気熱交換器（２）に交互に接続されるようになっていることを特徴とする請求項２１〜２３の何れか一項に記載の方法。
【請求項２５】
第１作動サイクルにおいて、前記作動媒体が第１熱交換器（２１）を介して前記第１高圧タンク（１１）内で加熱されることにより、前記第１熱交換器（２１）が前記第１大気熱交換器（１）と接続される一方、同時に、前記第２高圧タンク（１２）が第６熱交換器（２６）を介して冷却されると共に、前記第６熱交換器（２６）が前記第２大気熱交換器（２）と接続されるようになっており、
第２作動サイクルにおいて、前記第２高圧タンク（１２）内の前記作動媒体が第２熱交換器（２２）を介して加熱されることにより、前記第２熱交換器（２２）が前記第１大気熱交換器（１）と接続される一方、同時に、前記第１高圧タンク（１１）が第５熱交換器（２５）を介して冷却されると共に、前記第５熱交換器（２５）が前記第２大気熱交換器（２）と接続されるようになっている、
ことを特徴とする請求項２１〜２４に何れか一項に記載の方法。
【請求項２６】
前記圧縮器（３２）が、第３及び第４熱交換器（２３、２４）を介して、第３又は第４高圧タンク（１３、１４）に存在する作動媒体に交互に熱を運搬する作動媒体を加熱することを特徴とする請求項１〜２５の何れか一項に記載の方法。
【請求項２７】
前記第１及び第２高圧タンク（１１、１２）からの作動媒体、又は選択的に前記第３及び第４高圧タンク（１３、１４）からの作動媒体が、別の作動機械で膨張することを特徴とする請求項２１〜２６に何れか一項に記載の方法。
【請求項２８】
高圧下の作動媒体が、別の高圧バッファ保存装置（４１）に保存されることを特徴とする請求項２１〜２７の何れか一項に記載の方法。
【請求項２９】
作動媒体として圧縮空気が用いられ、これが、ポンプ、発電機、自動車などの別の作動機械を駆動するために用いられることを特徴とする請求項２８に記載の方法。
【請求項３０】
前記熱交換器（２１、２２）の交互放熱が、搬送ポンプ（３）を逆駆動することによって行われることを特徴とする請求項２１〜２９の何れか一項に記載の方法。
【請求項３１】
前記圧縮の間に生成される熱が、建築物又は設備を加熱するために用いられることを特徴とする請求項２１〜３０の何れか一項に記載の方法。
【請求項３２】
前記膨張の間に生成される冷却材が、建築物又は設備を冷却するために用いられることを特徴とする請求項２１〜３１の何れか一項に記載の方法。
【発明の詳細な説明】
【技術分野】
【０００１】
本発明は、第１温度レベルで大気と熱交換する第１大気熱交換器と、第２温度レベルで大気と熱交換する第２大気熱交換器と、高圧作動媒体を受け取る第１高圧タンクと、高圧作動媒体を受け取る第２高圧タンクと、これらの高圧タンクの一方から排出される作動媒体から機械的エネルギーを生成する作動機械と、工程の進行を制御する制御装置とからなるヒート・エンジン（熱機関）に関する。
【背景技術】
【０００２】
自然発生する温度差を利用することにより機械的な作動を得ることが可能であることが知られている。この目的のために、ソーラーシステムまたは地対空熱交換器からの熱を用いることができる。
【０００３】
建築物用ソーラーシステムがアメリカ特許第５，２５９，３６３Ａ号から公知であり、これは、加熱目的で熱を得ることに加えて、電力を得るためのタービンを有している。タービンは従来の循環工程の一環であり、この工程では、作動流体が熱を供給することによって蒸発した後、タービンで膨張し、圧縮されて、供給ポンプにより再び作動圧となる。このようなシステムは最適な条件下では確かに有効であるが、環境条件が変動する場合や最適でない場合は、相対的に順応性がほとんどない。
【０００４】
ＷＯ０２／０７５１５４Ａは、太陽熱及び／または大気熱によってガスを圧縮する装置を示している。この装置では、大気との熱交換のための収集器としても設計された高圧熱交換器が用いられている。高圧熱交換器は太陽熱収集器として構成することができる。作動機械として気圧シリンダが設けられており、高圧熱交換器の高圧部からの高圧媒体を膨張させる。均圧化が達成された後、新たな作動サイクルを開始できるよう、高圧熱交換器の高圧部内の処理済作動媒体が補給される。この種の公知の装置を用いて、熱、冷却材、及び機械的エネルギーを同時に使用または生成することが可能であるが、これらの工程の効率は非常に悪い上に、異なる要件及び大気状態に対して行なうことのできる調節に関する順応性も非常に限定されている。公知の解決方法のさらなる不都合は、大気熱交換器として用いられる収集器が高圧タンクとしても構成されているため、非常に頑強な機械的構成を備えていることが必要となることである。これにより、製作上の労力がかなり増加することになる。
【０００５】
ＣＨ６４７５９０Ａは、低度の熱源から有効なエネルギーを得るための方法及び装置を記載している。この装置の実施例では、分子ふるい沸石が補給された高圧タンクを設けることができる。
【０００６】
【特許文献１】アメリカ特許第５，２５９，３６３Ａ号
【特許文献２】ＷＯ０２／０７５１５４Ａ
【特許文献３】ＣＨ６４７５９０Ａ
【発明の開示】
【発明が解決しようとする課題】
【０００７】
本発明の目的は、これらの不都合を解消し、利用可能な温度レベルを最適に利用できるとともに効率のよい上記の種類のヒート・エンジンを提供することにある。さらに、構造的に簡素な構成が達成できる。本発明の別の目的は、高い効率と高い順応性を可能にする方法を提供することにある。
【課題を解決するための手段】
【０００８】
本発明によると、第１高圧タンクが、大気熱交換器から間隔を空けて設けられるとともに前記第１大気熱交換器に接続可能な第１熱交換器を備え、第２高圧タンクが、大気熱交換器から間隔を空けて設けられるとともに第２大気熱交換器に接続可能な第２熱交換器を備え、作動機械に機械的に連結された圧縮器が設けられており、この圧縮器は高圧圧縮器として設けられていることが好ましい。従って、作動媒体を必要に応じて保存したり処理をすべく、これを高圧にすることが可能である。
【０００９】
一方において、本発明の重要な特徴は、高い効率を得るために高圧下にある作動媒体を熱エネルギーに変換するために使用することができるということである。他方で、収集器、つまり大気熱交換器が間隔を空けて設けられていることにより、加熱と冷却とを直接切り換えることが可能であるため、かなり早い作動サイクルが達成される。本発明によるシステムの別の利点は、作動媒体が実質的に高圧タンク間を往復流動するため、高圧タンクを作動媒体で補給するための供給ポンプを必要としないということである。大気熱交換器には低圧媒体が流動するだけなので、従来の太陽熱収集器や対地空熱交換器などを用いることができ、構造上の構成が簡素化され、コストが削減される。
【００１０】
本発明の格別な利点は、構成部材を別々に設けることによって、そのときに利用可能な温度レベルの利用に関して高い順応性を達成することができるということである。
【００１１】
構造に関して特に好適である本発明の解決方法は、作動機械がタービンとして設けられた場合に見られる。作動機械はリバーシブル、つまり両方向に作動できるよう構成されるため、回路に載置される構成要素が削減される。
【００１２】
第１高圧タンクが第１熱交換器に加えて第５熱交換器を備えている場合、第２高圧タンクが第２熱交換器に加えて第６熱交換器を備えている場合に、効率を上げることができる。この点に関しては、第１大気熱交換器が第５及び第６熱交換器に選択的に接続可能であり、第２大気熱交換器が第１及び第２熱交換器に選択的に接続可能である場合に、特に有利である。回路は、第５及び第６熱交換器を備えた第１大気熱交換器が閉鎖熱運搬サイクル（閉鎖型の熱サイクル）に設けられ、第１及び第２熱交換器を備えた第２大気熱交換器が別の閉鎖熱運搬サイクルに設けられるように構成されるのが好ましい。第１及び第２熱交換器は、第１及び第２高圧タンクに交互に熱を供給するために通常作動状態において用いられる一方、第５または第６熱交換器を介して２つの高圧タンクの他方から熱が奪われる。夜間など特別な条件下では、例えば太陽熱収集器などの通常は熱を吸収するために用いられる大気熱交換器を介して放熱され、例えば地対空交換器として構成することのできる別の大気熱交換器を介して熱が吸収されることに留意すべきである。本発明による装置が格別な順応性を有する結果、機械的な作動において熱変換するためにこのような異常な大気状態を利用することも可能である。また、特に、建築物や設備などを加熱または冷却するための大気熱交換器を設けることも可能である。
【００１３】
使用時の順応性は、作動機械に選択的に接続可能な第３高圧タンク及び第４高圧タンクが設けられているということでさらに増加する。熱の供給及び排出は、第３高圧タンクが第３熱交換器を備え、第４高圧タンクが第４熱交換器を備えていると、好適に行われる。
【００１４】
本発明の特に好適な実施例では、第３熱交換器及び第４熱交換器が圧縮器に選択的に接続可能となっている。さらに、第３熱交換器及び第４熱交換器は、別の作動機械に選択的に接続可能となっている。
【００１５】
さらに別の実施例では、第３高圧タンクは、第３熱交換器に加えて第７熱交換器を備えるとともに、第４高圧タンクは、第４熱交換器に加えて第８熱交換器を備えており、この第７熱交換器と第８熱交換器は特に、高圧熱運搬サイクルにおいて、圧縮器及び作動機械に接続可能となっている。このように、多岐にわたる大気状態の利用に関して、これまでにはなかった可変性を達成することができる。エネルギーの要求が利用可能なエネルギーを超えるような短い期間は、別の高圧バッファ保存装置を備えることで、好適に埋めることができる。
【００１６】
本発明はさらに、熱エネルギーを機械的な作動に変換する方法に関しており、この方法においては、第１温度レベルにおいて第１大気熱交換器によって熱が大気から吸収され、高圧タンクに存在する高圧の作動媒体に搬送されるとともに、第２大気熱交換器が、第２温度レベルにおいて熱を大気と交換し、高圧の作動媒体が作動機械において膨張する。
【００１７】
この方法は、本発明によると、第１高圧タンクが前記大気熱交換器及び第２大気熱交換器に、交互に熱接続されるようになっていることを特徴としている。短いサイクル時間で高い効率を得ることができるのである。
【００１８】
本発明による方法の好適な改変例では、第２高圧タンクが前記第１大気熱交換器及び第２大気熱交換器に、交互に熱接続されることにより、前記第１高圧タンクが大気熱交換器と熱接続されるとともに、前記第２高圧タンクが他方の大気熱交換器と熱接続されるようになっている。
【００１９】
この方法は、特に、第１作動サイクルにおいて、前記作動媒体が第１熱交換器を介して前記第１高圧タンク内で加熱されることにより、前記第１熱交換器が前記第１大気熱交換器と接続される一方、同時に、前記第２高圧タンクが第６熱交換器を介して冷却されるとともに、前記第６熱交換器が前記第２大気熱交換器と接続されるようになっており、第２作動サイクルにおいて、前記第２高圧タンク内の前記作動媒体が第２熱交換器を介して加熱されることにより、前記第２熱交換器が前記第１大気熱交換器と接続される一方、同時に、前記第１高圧タンクが第５熱交換器を介して冷却されるとともに、前記第５熱交換器が前記第２大気熱交換器と接続されるように、交互に実施される。
【発明を実施するための最良の形態】
【００２０】
添付の図面に示す実施例を参照しながら、本発明をさらに詳しく説明する。
図１は、本発明の基本的概念を概略的に示す回路線図である。
図２は、図１の回路の改変例である。
図３は、回路線図における本発明の好適な実施例を示す。
【００２１】
図１は本発明の基本的概念を概略的に示している。第１大気熱交換器１は、例えば太陽熱収集器として構成されている。第２大気熱交換器２は地熱収集器である。本発明においては、１００メートル以上の深さの穿孔された孔に設けられた深い収集器であるか、広い表面積にわたって、約１メートルまたは２メートルの深さに埋設された浅い収集器であるかは重要ではない。第１高圧タンク１１及び第２高圧タンク１２が大気熱交換器１、２から間隔を空けて設けられており、これらのタンクはそれぞれ、第１熱交換器２１及び第２熱交換器２２を有している。切換バルブ５１により、第１大気熱交換器１は、第１熱交換器２１または第２熱交換器２２に選択的に確実に接続される。同時に、第２大気熱交換器２は、他方の熱交換器２２、２１に接続される。図外の循環ポンプにより、作動媒体は、第１及び第２大気熱交換器１、２の熱運搬サイクルに確実に搬送される。また、制御装置４２によって、切換バルブ５１の最適な切換が確実になる。それぞれの熱交換器２１、２２により高圧タンク１１、１２の一方を加熱する結果、前記高圧タンク１２、１１内の内圧が増圧するため、他方の高圧タンク１２、１１との圧力差が生じる。この圧力差は、例えばタービンとして構成された作動機械３１により機械的作動に変換することができる。圧力が均衡になると、切換バルブ５１が逆に切り換わり、他方の高圧タンク１２、１１が加熱されて、作動機械３１により異なる方向に膨張が生じる。作動機械３１は可逆構成を備えて設けられているか、あるいは、バルブ５２、５３、５４、５５により、高圧タンク１１、１２と作動機械３１との間に作動媒体が確実に案内されるようになっている。
【００２２】
図２の実施例において、冷却材サイクルが、第１大気熱交換器１、第１熱交換器２１、第２大気熱交換器２及び第２熱交換器２２が、順次閉サイクルで切り換わるように設けられている。可逆循環ポンプ３は、前記循環の作動媒体を２方向のいずれかに選択的に圧送することができる。循環ポンプ３が矢印４の方向に駆動すると、第１熱交換器２１を介した第２大気熱交換器２からの熱は第１高圧タンク１１を加熱するために用いられ、そのことにより、作動媒体が冷たい方の大気熱交換器２に流入し、その後第２熱交換器２２を介して第２高圧タンク１２を冷却する。循環ポンプ３が、作動媒体を矢印５の方向へ搬送するために逆に切り換わると、第１大気熱交換器１から流入する作動媒体が、第２熱交換器２２を介して第２高圧タンク１２を加熱し、その後第２大気熱交換器２を経た後、第１熱交換器２１を介して第１高圧タンク１１を冷却する。これ以外の回路構成は、図１のものにほぼ対応する。本実施例では、専用のバルブがなくても、２つの高圧タンク１１、１２の加熱と冷却との切換を行うことができる。
【００２３】
図１及び図２は、本発明の基本的な機能原理を概略的に示したものであり、多くの改変が可能である。従って、２つ以上の高圧タンク１１、１２を設け、所定の切換サイクルに従ってこれらを大気熱交換器１、２に接続し、よって、これらを加熱または冷却することが可能である。本発明のその他の実施例を図３に示す。
【００２４】
図３において、第１高圧タンク１１には、第１熱交換器２１と第５熱交換器２５とが設けられている。第２高圧タンク１２には、第２熱交換器２２と第６熱交換器２６とが設けられている。第１大気熱交換器１は、バルブ５６、５７を介して、第５熱交換器２５と第６熱交換器２６とに選択的に接続することができる。作動機械３１は、バルブ５２、５３を介して第１高圧タンク１１及び第２高圧タンク１２と接続されている。２つの高圧タンク１１、１２に加熱と冷却とが交互に行なわれる結果、作動機械３１は、作動媒体が膨張するように、高圧の高圧タンク１１、１２により、低圧の他方の高圧タンク１２、１１へと駆動可能である。作動媒体の圧力は、およそ２００バールの大きさであり、これは、３００バール以上に上げることができる。
【００２５】
第１及び第２高圧タンク１１、１２は、バルブ６１、６２、６３、６４を備えた高圧系を介して、第３高圧タンク１３及び第４高圧タンク１４に接続している。第３高圧タンク１３は、第３熱交換器２３と第７熱交換器２７とを有しており、第４高圧タンク１４は、第４熱交換器２４と第８熱交換器２８とを有している。第３、第４、第７、第８熱交換器２３、２４、２７、２８は、バルブ６５、６６を介して圧縮器３２に接続されており、この圧縮器は作動機械３１によって駆動される。
【００２６】
いくつかの高圧バッファ保存装置４１が、バルブ６１、６２、６３、６４を介して高圧タンク１１、１２、１３、１４に接続されており、さらに第７及び第８熱交換器２７、２８に接続されている。さらに、高圧サイクルは、下流側でバルブ６７、６８を介して第３及び第４熱交換器２３、２４に接続されている別の作動機械３３で、第７及び第８熱交換器２７、２８に接続されている。
【００２７】
本発明による装置の作用特徴をより以下の通りより詳細に説明する。
【００２８】
高圧タンク１１、１２には、初期に例えば２００バールの等しい圧力の作動媒体が補充されている。作動媒体は、空気であってもよいが、他の適切な気体であってもよい。第１大気熱交換器１に対する日射により、あるいは他の加熱により、この大気熱交換器１の温度が上昇すると仮定すると、大気熱交換器２の温度は、例えば建築物や土壌内の陰に位置するため、下降することになる。第１作動サイクルでは、バルブ５６及び５９は開いており、バルブ５７及び５８は閉じている。そのため、第１高圧タンク１１は第１熱交換器２１を介して加熱され、第２高圧タンク１２は第６熱交換器２６を介して冷却されるのである。温度の上昇により上昇した第１高圧タンク１１の圧力は作動機械３１を経て処理され、作動媒体が第２高圧タンク１２に供給される。作動機械３１は、圧縮器３２に機械的に連結されており、この圧縮器は、作動媒体を高圧に圧縮し、これを第１〜第７及び/または第８熱交換器２７、２８に案内し、ここで圧縮熱が第３及び/または第４高圧タンク１３、１４に搬送される。作動媒体は、高圧バッファ保存装置４１に高圧で保存される。
【００２９】
第１及び第２高圧タンク１１、１２間の加熱切換えは、上記の通りすでに詳細に述べた。何回かのサイクルの後、第３及び/または第４高圧タンク１３、１４の温度及び圧力は、作動媒体が膨張して、別の作動機械３３を経て処理される程度まで上昇する。膨張し、冷却された作動媒体は、第３及び/または第４熱交換器２３、２４を介して案内され、それぞれの高圧タンク１３、１４を冷却する。個別制御する場合は、建築物や設備を冷却するのに使用される冷却材を生成することができる。
【００３０】
本発明では、熱エネルギーを、効率よく最大限の順応性をもって、機械的な作動に変換することができる。
【図面の簡単な説明】
【００３１】
【図１】本発明の基本的概念を概略的に示す回路線図
【図２】図１の回路の改変例
【図３】回路線図における本発明の好適な実施例
【図１】
2008501885.tif 000003
【図２】
2008501885.tif 000004
【図３】
2008501885.tif 000005
【国際調査報告】
2008501885.tif 000006
2008501885.tif 000007
2008501885.tif 000008
2008501885.tif 000009
2008501885.tif 000010
2008501885.tif 000011